(57)【要約】      （修正有）【課題】配管にダクトを迅速かつ容易に設置することができるようにする構成を提供する。【解決手段】断熱材が覆われている直線配管部分を巻く直管ダクトと、断熱材が覆われているエルボ配管を巻くエルボダクトと、配管の終端部に結合されるエンドキャップと、配管の間に設置されるバルブの断熱を仕上げるバルブダクト及び、直管ダクトを堅固に縛ることができる縛りバンド手段とでなっている、配管用ダクトシステムを具備する。【選択図】図１
2018105451.tif 000002
【特許請求の範囲】
【請求項１】
断熱材が覆われている直線配管部分を巻く直管ダクト１００と、断熱材が覆われているエルボ配管を巻くエルボダクト２００と、配管の終端部に結合されるエンドキャップ３００と、配管の間に設置されるバルブの断熱を仕上げるバルブダクト４００及び、直管ダクトを堅固に縛ることができる縛りバンド手段とでなっている、配管用ダクトシステムを構成し、
上記直管ダクト１００は、両側の重ね部の一側に折曲形成する締結溝部１１０が形成され、上記重ね部の他側には上記締結溝部１１０に嵌合する締結板部１２０を形成し、
上記エルボダクト２００は、上・下部の分割ダクト２０１，２０２が、拡張制限部２１０と拡張結束突起部２２０とで成されている拡張制限結束手段によって、ワンタッチ結束するように構成し、
上記エンドキャップ３００は、配管の断熱及び保護のため覆われて形成される直管ダクト１００の端部に結合され、二つの分割エンドキャップ３１０として構成し、
上記分割エンドキャップ３１０は、配管の端部側を密閉することができるように半円形となっているエンドプレート３１１と、上記エンドプレート３１１の弧形部分に嵌合結束されて直管ダクト１００の外面を被るエンドバンド部３１２とで構成し、
上記二つの分割エンドキャップ３１０のどちらか一側のエンドプレート３１１の直線部分には、結合される二つの分割エンドキャップ３１０によって配管端部を密閉することができるように延長形成されている重ね部３１１ａが形成され、
上記重ね部３１１ａの上・下端は分割エンドキャップ３１０を重ねる過程で干渉しないように干渉防止切開部３１１ｂが形成され、
上記二つの分割エンドキャップ３１０に形成されるエンドバンド部３１２は、互い違い方向へ延長形成されて重ねて結合するようにバンド重ね部３１２ａを形成し、
上記二つの分割エンドキャップ３１０に各々形成されているバンド重ね部３１２ａの一つは対応する分割エンドキャップ３１０のエンドバンド部３１２に溶接とリベットのどちらか一つの結束手段によって結束するように構成し、
エンドプレート３１１の中央部には配管の端部から引出される引出配管の突出のための配管引出孔３１３を形成し、上記配管引出孔３１３から配管が露出しない場合はそれを密閉できるようにする密閉キャップ３２０を備え、
上記バルブダクト４００は配管の間に形成されるバルブを収容してカバーすることができるように二つに分割され、バンド締結具５３２とバンド締結輪５３３によって結束されるように構成することを特徴とする
配管用ダクトシステム。
【請求項２】
上記直管ダクト１００の締結溝部１１０は、重ね部の端部を内側へ折り曲げてからまた外側へ折り曲げ、折曲端部には締結板部１２０の結合をガイドする結合ガイド板１１３を重ね部の端部より突出するように形成し、
上記重ね部には、結合された締結板部１２０と締結溝部１１０の結合状態が固定されるように固定孔１５１が形成され、それに対応する締結板部１２０には上記固定孔１５１を貫通させて折曲固定する固定片１５２が備えられ、
上記固定孔１５１は締結板部１２０の結合方向へ開口するようにスリッティング加工形成し、
上記締結溝部１１０と締結板部１２０をかみ合い結束するかみ合結束手段が設けられ、
上記かみ合結束手段は、締結溝部１１０の内面折畳板１１２の内面の中央部分を長方向に連続して線形加圧することより、内面折畳板１１２の外面に突出され、締結板部１２０をかみ合い結束する締結突起線１３１で構成され、
上記締結溝部１１０の外面折畳板１１１には長方向に連続して線形加圧することより、締結突起線１３１を中心として締結板部１２０を加圧し、かみ合いすることのできる支持溝線１３２が形成され、
上記締結溝部１１０の結合ガイド板１１３は、締結溝部１１０と結合する締結板部１２０の結合をガイドするため、締結突起線１３１の成型過程で内側へ傾けて折曲形成し、
上記直管ダクト１００を長方向に連続施工する時、連結施工をするための締結溝部１１０を切開形成している、連結重ね部１４０を両側に備え、
上記両側の連結重ね部１４０の中央部には、外周縁に沿って突出形成される重ね突起１６０が形成されていることを特徴とする
請求項１に記載の配管用ダクトシステム。
【請求項３】
上記縛りバンド手段は直管ダクトを堅固に縛られるように帯形のバンド部５２１となっていて、一端には締結具５２２を備え、他端には締結輪５２３を備えて、上記バンド部５２１の一側に弾性伸縮部５１０を形成し、上記弾性伸縮部５１０はバンド部５２１の一部を波型折曲して形成し、上記締結具５２２が締結された状態で外れないように、締結具５２２の上面へ折曲される外れ防止片５０１が備えられている結束バンド５２０として構成するものと、
直管ダクトを堅固に縛るように重ね部の一側に結束バンド部を介して溶接やリベット結束するバンド締結部５３２と、重ね部の他側に結束バンド部を介して溶接やリベット結束するバンド締結輪５３３とで構成される結束バンド部にはバンド伸縮部５３１を形成し、上記バンド伸縮部５３１は縛りバンド部の一部を波型折曲して形成し、締結具５３２が締結されている状態から外れないように、締結具５３２の上面へ折曲げる外れ防止片５０１が備えられている結束バンド５３０で構成するものと、
直管ダクトを堅固に縛るように、帯形のラッチバンド部５４１とラッチバンド部５４１の一端に備えられ、バンド部を掛けて拘束することができるラッチ結束具５４２と、上記ラッチバンド部５４１の反対側にラッチ結束具に掛けて結束するようにラッチ溝を連続形成しているラッチ溝部５４３とで構成されるラッチバンド５４０とのどちらかを選択して構成することを特徴とする
請求項１に記載の配管用ダクトシステム。
【発明の詳細な説明】
【技術分野】
【０００１】
本発明は配管用ダクトシステムに関するもので、より詳しくは配管にダクトを迅速かつ容易に設置することを目的とする。
【背景技術】
【０００２】
一般的に給水用や消防施設などの配管に施工される断熱材を保護するためには、断熱材の外部にテープ形の仕上げシーツを巻いて施工している。
【０００３】
このような断熱材に使える仕上げシーツは合成樹脂でなっていて、耐久性が低く、それを施工することが容易でない問題があった。
【発明の概要】
【発明が解決しようとする課題】
【０００４】
それで、本発明は前述するように、従来の配管に使う仕上げシーツは耐久性が低く、施工が容易でない問題を解決しようとしている。
【課題を解決するための手段】
【０００５】
つまり、本発明は断熱材が覆われている直線の配管部を巻く直管ダクトと、断熱材が覆われているエルボ管を巻くエルボダクトと、配管の終端部に結合されるエンドキャップと、配管の間に設置されるバルブの断熱を仕上げるバルブダクト及び、直管ダクトを堅固に縛るための縛りバンド手段とでなっている、配管用ダクトシステムを備えているものである。
【発明の効果】
【０００６】
従って、本発明は直管ダクトとエルボダクトとエンドキャップ及び縛りバンド手段とを有する配管用ダクトシステムを構成することにより、配管断熱材を保護するための施工が迅速かつ容易に完了する効果がある。
【図面の簡単な説明】
【０００７】
【図１】本発明による一実施例を示す配管の例示図。
【図２】本発明による直管ダクトを締結する前の例示図。
【図３】本発明による直管ダクトを締結する前の例示図。
【図４】本発明による直管ダクトを締結した後の例示図。
【図５】本発明による直管ダクトを締結した後の例示図。
【図６】本発明による実施において、重ね突起を具備することを示す例示図。
【図７】直管ダクトに縛りバンドを適用していることを示す例示図。
【図８】直管ダクトに縛りバンドを適用していることを示す例示図。
【図９】直管ダクトに縛りバンドを適用していることを示す例示図。
【図１０】直管ダクトにラッチバンドを適用していることを示す例示図。
【図１１】直管ダクトにラッチバンドを適用していることを示す例示図。
【図１２】エルボダクトの例示図。
【図１３】エルボダクトの例示図。
【図１４】エンドキャップの例示図。
【図１５】エンドキャップの例示図。
【図１６】バルブダクトの例示図。
【図１７】バルブダクトの例示図。
【図１８】バルブダクトの例示図。
【図１９】バルブダクトの例示図。
【発明を実施するための形態】
【０００８】
本発明は配管の断熱材の耐久性が向上され、容易に保護することができるようになるものである。
【０００９】
すなわち、本発明は図１に示すように、断熱材が覆われている直線の配管部を巻く直管ダクト１００と、断熱材が覆われているエルボ配管を巻くエルボダクト２００と、配管の終端部に結合されるエンドキャップ３００と、配管の間に設置されるバルブの断熱を仕上げるバルブダクト４００及び、直管ダクトを堅固に縛ることができる縛りバンド手段とでなっている、配管用ダクトシステムを構成するのである。
【００１０】
以下、上記直管ダクト１００について詳しく説明する。  
上記直管ダクト１００は図２乃至図５に示すように、両側の重ね部の一側に折曲形成する締結溝部１１０が形成され、上記重ね部の他側には上記締結溝部１１０に嵌合する締結板部１２０が形成される。
【００１１】
上記締結溝部１１０は重ね部の端部を内側へ折り曲げてからまた外側へ折り曲げ、折曲端部には締結板部１２０の結合をガイドする結合ガイド板１１３が重ね部の端部より突出するように形成するのである。
【００１２】
上記重ね部には、結合された締結板部１２０と締結溝部１１０の結合状態が固定されるように固定孔１５１が形成され、それに対応する締結板部１２０には上記固定孔１５１を貫通させて折曲固定する固定片１５２が備えられている。
【００１３】
上記固定孔１５１は締結板部１２０の結合方向へ開口するようにスリッティング加工形成されるものである。
【００１４】
上記締結溝部１１０と締結板部１２０をかみ合い結束するかみ合結束手段が設けられている。
【００１５】
上記かみ合結束手段は、締結溝部１１０の内面折畳板１１２の内面の中央部分を長方向に連続して線形加圧することより、内面折畳板１１２の外面に突出され、締結板部１２０をかみ合い結束する締結突起線１３１で構成されている。
【００１６】
上記締結溝部１１０の外面折畳板１１１には長方向に連続して線形加圧することより、締結突起線１３１を中心として締結板部１２０を加圧し、かみ合いすることのできる支持溝線１３２を形成して実施することができる。
【００１７】
上記締結溝部１１０の結合ガイド板１１３は、締結溝部１１０と結合する締結板部１２０の結合をガイドするため、締結突起線１３１の成型過程で内側へ傾けて折曲形成するのである。
【００１８】
上記直管ダクト１００を長方向に連続施工する時、連結施工をするための締結溝部１１０を切開形成している、連結重ね部１４０を両側に備えて実施することができる。
【００１９】
一方、図６に示すように、上記両側の連結重ね部１４０の中央部には、外周縁に沿って突出形成される重ね突起１６０を形成して実施することができる。
【００２０】
一方、図７と図８に示すように、上記縛りバンド手段は直管ダクトを堅固に縛られるように帯形のバンド部５２１となっていて、一端には締結具５２２を有し、他端には締結輪５２３を有する、縛りバンドを備えている。
【００２１】
上記締結輪５２３は、他端に締結具５２２を拘束する締結輪５２３ａと上記締結輪５２３ａを拘束して長め方向へ移す縛りレバー５２３ｂを備えている。
【００２２】
上記バンド部５２１の一側に弾性伸縮部５１０を形成する。上記弾性伸縮部５１０はバンド部５２１の一部を波型折曲して形成するのである。
【００２３】
上記締結具５２２が締結された状態で外れないように、締結具５２２の上面へ折曲される外れ防止片５０１が備えられている。
【００２４】
また、図９に示すように、直管ダクトを堅固に縛るようにする縛りバンド手段は、重ね部の一側に結束バンド部を介して溶接やリベット結束するバンド締結部５３２と、重ね部の他側に結束バンド部を介して溶接やリベット結束するバンド締結輪５３３とで構成される結束バンド５３０を備えている。
【００２５】
上記結束バンドにはバンド伸縮部５３１を形成する。上記バンド伸縮部５３１は縛りバンド部の一部を波型折曲して形成するのである。
【００２６】
上記締結具５３２が締結されている状態から外れないように、締結具５３２の上面へ折曲げる外れ防止片５０１が備えられている。
【００２７】
また、図１０と図１１で示すように、直管ダクトを堅固に縛るために、縛りバンド手段は帯形のラッチバンド部５４１の一端に備えられ、バンド部を掛けて拘束することができるラッチ結束具５４２と、上記バンド部５４１の反対側にラッチ結束具に掛けて結束するようにラッチ溝を連続形成しているラッチ溝部５４３とで構成されるラッチバンド５４０が構成される。
【００２８】
以下、上記エルボダクト２００について説明する。  
上記エルボダクト２００は図１２と図１３で示すように、上・下部の分割ダクト２０１，２０２が、拡張制限部２１０と拡張結束突起部２２０とで成されている拡張制限結束手段によって、ワンタッチ結束するように構成されている。
【００２９】
上記上・下部の分割ダクト２０１，２０２のどちらか一側の分割ダクトの両側面に拡張制限部２１０を突出形成し、他の一側の分割ダクトの両側面に拡張結束突起部２２０を突出形成している。
【００３０】
本発明の実施において、拡張制限部２１０は下部分割ダクト２０２に形成し、拡張結束突起部２２０は上部分割ダクト２０１に実施することが望ましい。
【００３１】
上記拡張制限部２１０は、分割ダクトの両側で横方向へ突出形成されている拡張制限板２１１と、上記拡張制限板２１１から上に向かって内側に傾けに突出していて、拡張結束突起部２２０の拡張を制限して、弾性結束するようにし、上部への離脱を防ぐ、拡張制限爪２１２を備えている。
【００３２】
上記拡張結束突起部２２０は分割ダクトの両側で横方向へ突出形成されている拡張結束板２２１と、上記拡張結束板２２１の端部側に、拡張制限部２１０の拡張制限爪２１２と滑り誘導結合するように、外側下部に結合傾斜面を形成する結合傾斜突起２２２を上部へ折曲形成しているのである。
【００３３】
上記拡張結束突起部２２０が形成されている上・下部の分割ダクト２０１，２０２のどちらか一側の分割ダクトには、対応する分割ダクトの内面を支えて収縮を制限するように、両側の端部から収縮支持板２３０を延長形成している。
【００３４】
上記拡張制限部２１０の拡張制限板２１１の下部の角と、拡張結束突起部２２０の拡張結束板２２１の上面には、折曲抵抗力を有するように、シリコンを充填している支持シリコン充填部２４０を形成して実施することができる。
【００３５】
以下、上記エンドキャップについて説明する。  
上記エンドキャップ３００は図１４と図１５に示すように、配管の断熱及び保護のため覆われて形成される直管ダクト１００の端部に結合されるもので、二つの分割エンドキャップ３１０として構成されている。
【００３６】
上記分割エンドキャップ３１０は、配管の端部側を密閉することができるように半円形となっているエンドプレート３１１と、上記エンドプレート３１１の弧形部分に嵌合結束されて直管ダクト１００の外面を被るエンドバンド部３１２とで構成される。
【００３７】
上記二つの分割エンドキャップ３１０のどちらか一側のエンドプレート３１１の直線部分には、結合される二つの分割エンドキャップ３１０によって配管端部を密閉することができるように延長形成されている重ね部３１１ａが形成される。
【００３８】
上記重ね部３１１ａの上・下端は分割エンドキャップ３１０を重ねる過程で干渉しないように干渉防止切開部３１１ｂが形成される。
【００３９】
上記二つの分割エンドキャップ３１０に形成されるエンドバンド部３１２は、互い違い方向へ延長形成されて重ねて結合するようにバンド重ね部３１２ａを形成している。
【００４０】
上記二つの分割エンドキャップ３１０に各々形成されているバンド重ね部３１２ａの一つは対応する分割エンドキャップ３１０のエンドバンド部３１２に溶接とリベットのどちらか一つの結束手段によって結束するように構成して実施することができる。
【００４１】
エンドプレート３１１の中央部には配管の端部から引出される引出配管の突出のための配管引出孔３１３を形成し、上記配管引出孔３１３から配管が突出しない場合はそれを密閉できるようにする密閉キャップ３２０を備えて実施することができる。
【００４２】
一方、本発明の実施において、図１６乃至図１９に示すように、バルブダクト４００に関して説明する。
【００４３】
上記バルブダクト４００は、配管の間に形成されるバルブを収容してカバーするように、二つに分割されてバンド締結具５３２とバンド締結輪５３３によって結束されるように構成されている。
【００４４】
上記バルブダクト４００は半球円筒形、または円筒形として形成されている。  
以下、本発明の適用による作用効果に関して説明する。  
上述しているように、直管ダクトと、エルボダクトと、エンドキャップと、バルブダクト及び縛りバンド手段とでなっている配管ダクトシステムを、構成されている本発明を適用して実施することで、断熱材に覆われている配管の断熱施工がきれいで迅速に完了できる。
【００４５】
そして、直管ダクト１００が両側の重ね部のどちらか一側の重ね部に折曲形成されている締結溝部１１０が形成され、他側の重ね部には上記締結溝部１１０に嵌合結合される締結板部１２０が形成され、固定孔１５１と固定片１５２を備えるように実施することで、施工された直管ダクト１００の結合状態が堅固に維持できる。
【００４６】
また、上記締結溝部１１０と締結板部１２０をかみ合結束するかみ合結束手段を備えて、上記かみ合結束手段は締結溝部１１０の内面折畳板１１２の内面の中央に長方向に連続して線形加圧して、内面折畳板１１２の外面に突出されて締結板部１２０をかみ合結束する締結突起線１３１と構成して実施することで、締結板部１２０が締結溝部１１０と結合される際、弾性変形して、締結突起線１３１に摩擦支持されて、仮結合状態が堅固に維持できる。
【００４７】
それに、締結溝部１１０の外面折畳板１１１には、支持溝線１３２が形成されると、締結溝部１１０に結合された締結板部１２０の外面を二点支持することになり、仮結合状態がより堅固になる。
【００４８】
また、直管ダクト１００に、図７乃至図１１に示すように、縛りバンド手段を縛りバンド５２０と結束バンド５３０及びラッチバンド５４０が備えるように実施することで、結合されている直管ダクト１００の装着状態が堅固に維持できる。
【００４９】
一方、上記縛りバンド５２０に弾性伸縮部５１０が形成され、結束バンド５３０にバンド伸縮部５３１が備えるように実施することで、バンドの締結状態が弾性締結状態を維持するので、直管ダクト１００の装着状態が堅固に維持できる。
【００５０】
また、本発明を実施するにおいて、図１２と図１３に示すように、上・下部分割ダクト２０１，２０２として構成されているエルボダクト２００を備えるように実施することで、エルボ配管の仕上げがきれいで迅速に完了できる。
【００５１】
一方、上記エルボダクト２００に、拡張制限部２１０と拡張結束突起部２２０とでなっている拡張制限結束手段によってワンタッチ結束されるような構成を実施することで、エルボダクト２００の締結が迅速にできる。
【００５２】
また、上記拡張制限部２１０の拡張制限板２１１の下部の角部と、拡張結束突起部２２０の拡張結束板２２１の上面には、折曲抵抗力を持つようにシリコンを充填する支持シリコン充填部２４０を形成して実施することで、エルボダクト２００の締結状態が安定かつ堅固に維持できる。
【００５３】
また、本発明を実施するにおいて、図１４と図１５に示すように、エンドキャップ３００を備えて実施することで、配管の断熱材の仕上げがきれいに完了できる。
【００５４】
一方、上記エンドキャップ３００は分割エンドキャップ３１０となっていて、その装着が容易である。
【００５５】
また、エンドプレート３１１の中央部には配管の端部で引出される引出配管の突出のために配管引出孔３１３を形成することで、断熱されてない配管の仕上げがきれいで容易に完了できる。
【００５６】
また、密閉キャップ３２０を備えて実施することで、上記配管引出孔３１３を形成して実施する場合において、配管が突出してないとき、仕上げが容易になるのである。
【００５７】
また、本発明の実施において、図１６乃至図１９に示すように、バルブダクト４００を備えて実施することで、バルブの断熱仕上げがきれいで容易に完了できる。
【符号の説明】
【００５８】
１００：直管ダクト
１１０：締結溝部
１１１：外面折畳板
１１２：内面折畳板
１１３：結合ガイド板
１２０：締結板部
１３１：締結突起線
１３２：支持溝線
１４０：連結重ね部
１５１：固定孔
１５２：固定片
１６０：重ね突起
２００：エルボダクト
２０１：上部分割ダクト
２０２：下部分割ダクト
２１０：拡張制限部
２１１：拡張制限板
２１２：拡張制限爪
２２０：拡張結束突起部
２２１：拡張結束板
２２２：結合傾斜突起
２３０：収縮支持板
２４０：支持シリコン充填部
３００：エンドキャップ
３１０：分割エンドキャップ
３１１：エンドプレート
３１１ａ：重ね部
３１１ｂ：干渉防止切開部
３１２：エンドバンド部
３１２ａ：バンド重ね部
３１３：配管引出孔
３２０：密閉キャップ
４００：バルブダクト
５０１：外れ防止片
５１０：弾性伸縮部
５２０：縛りバンド
５２１：バンド部
５２２：締結具
５２３：締結輪
５２３ａ：締結輪
５２３ｂ：縛りレバー
５３０：結束バンド
５３１：バンド伸縮部
５３２：バンド締結部
５３３：バンド締結輪
５４０：ラッチバンド
５４１：ラッチバンド部
５４２：ラッチ結束部
５４３：ラッチ溝部
【図１】
2018105451.tif 000003
【図２】
2018105451.tif 000004
【図３】
2018105451.tif 000005
【図４】
2018105451.tif 000006
【図５】
2018105451.tif 000007
【図６】
2018105451.tif 000008
【図７】
2018105451.tif 000009
【図８】
2018105451.tif 000010
【図９】
2018105451.tif 000011
【図１０】
2018105451.tif 000012
【図１１】
2018105451.tif 000013
【図１２】
2018105451.tif 000014
【図１３】
2018105451.tif 000015
【図１４】
2018105451.tif 000016
【図１５】
2018105451.tif 000017
【図１６】
2018105451.tif 000018
【図１７】
2018105451.tif 000019
【図１８】
2018105451.tif 000020
【図１９】
2018105451.tif 000021
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
断熱材が覆われている直線配管部分を巻く直管ダクト１００と、断熱材が覆われているエルボ配管を巻くエルボダクト２００と、配管の終端部に結合されるエンドキャップ３００と、配管の間に設置されるバルブの断熱を仕上げるバルブダクト４００及び、直管ダクトを堅固に縛ることができる縛りバンド手段とでなっている、配管用ダクトシステムを構成し、
上記直管ダクト１００は、両側の重ね部の一側に折曲形成する締結溝部１１０が形成され、上記重ね部の他側には上記締結溝部１１０に嵌合する締結板部１２０を形成し、
上記エルボダクト２００は、上・下部の分割ダクト２０１，２０２が、拡張制限部２１０と拡張結束突起部２２０とで成されている拡張制限結束手段によって、ワンタッチ結束するように構成し、
上記エンドキャップ３００は、配管の断熱及び保護のため覆われて形成される直管ダクト１００の端部に結合され、二つの分割エンドキャップ３１０として構成し、
上記分割エンドキャップ３１０は、配管の端部側を密閉することができるように半円形となっているエンドプレート３１１と、上記エンドプレート３１１の弧形部分に嵌合結束されて直管ダクト１００の外面を被るエンドバンド部３１２とで構成し、
上記二つの分割エンドキャップ３１０のどちらか一側のエンドプレート３１１の直線部分には、結合される二つの分割エンドキャップ３１０によって配管端部を密閉することができるように延長形成されている重ね部３１１ａが形成され、
上記重ね部３１１ａの上・下端は分割エンドキャップ３１０を重ねる過程で干渉しないように干渉防止切開部３１１ｂが形成され、
上記二つの分割エンドキャップ３１０に形成されるエンドバンド部３１２は、互い違い方向へ延長形成されて重ねて結合するようにバンド重ね部３１２ａを形成し、
上記二つの分割エンドキャップ３１０に各々形成されているバンド重ね部３１２ａの一つは対応する分割エンドキャップ３１０のエンドバンド部３１２に溶接とリベットのどちらか一つの結束手段によって結束するように構成し、
エンドプレート３１１の中央部には配管の端部から引出される引出配管の突出のための配管引出孔３１３を形成し、上記配管引出孔３１３から配管が露出しない場合はそれを密閉できるようにする密閉キャップ３２０を備え、
上記バルブダクト４００は配管の間に形成されるバルブを収容してカバーすることができるように二つに分割され、バンド締結具５３２とバンド締結輪５３３によって結束されるように構成し、
上記直管ダクト１００の締結溝部１１０は、重ね部の端部を内側へ折り曲げてからまた外側へ折り曲げ、折曲端部には締結板部１２０の結合をガイドする結合ガイド板１１３を重ね部の端部より突出するように形成し、
上記重ね部には、結合された締結板部１２０と締結溝部１１０の結合状態が固定されるように固定孔１５１が形成され、それに対応する締結板部１２０には上記固定孔１５１を貫通させて折曲固定する固定片１５２が備えられ、
上記固定孔１５１は締結板部１２０の結合方向へ開口するようにスリッティング加工形成し、
上記締結溝部１１０と締結板部１２０をかみ合い結束するかみ合結束手段が設けられ、
上記かみ合結束手段は、締結溝部１１０の内面折畳板１１２の内面の中央部分を長方向に連続して線形加圧することより、内面折畳板１１２の外面に突出され、締結板部１２０をかみ合い結束する締結突起線１３１で構成され、
上記締結溝部１１０の外面折畳板１１１には長方向に連続して線形加圧することより、締結突起線１３１を中心として締結板部１２０を加圧し、かみ合いすることのできる支持溝線１３２が形成され、
上記締結溝部１１０の結合ガイド板１１３は、締結溝部１１０と結合する締結板部１２０の結合をガイドするため、締結突起線１３１の成型過程で内側へ傾けて折曲形成し、
上記直管ダクト１００を長方向に連続施工する時、連結施工をするための締結溝部１１０を切開形成している、連結重ね部１４０を両側に備え、
上記両側の連結重ね部１４０の中央部には、外周縁に沿って突出形成される重ね突起１６０が形成されていることを特徴とする
配管用ダクトシステム。
【請求項２】
上記縛りバンド手段は直管ダクトを堅固に縛られるように帯形のバンド部５２１となっていて、一端には締結具５２２を備え、他端には締結輪５２３を備えて、上記バンド部５２１の一側に弾性伸縮部５１０を形成し、上記弾性伸縮部５１０はバンド部５２１の一部を波型折曲して形成されている結束バンド５２０として構成するものと、
直管ダクトを堅固に縛るように重ね部の一側に結束バンド部を介して溶接やリベット結束するバンド締結部５３２と、重ね部の他側に結束バンド部を介して溶接やリベット結束するバンド締結輪５３３とで構成される結束バンド部にはバンド伸縮部５３１を形成し、上記バンド伸縮部５３１は縛りバンド部の一部を波型折曲して形成されている結束バンド５３０で構成するものと、
直管ダクトを堅固に縛るように、帯形のラッチバンド部５４１とラッチバンド部５４１の一端に備えられ、バンド部を掛けて拘束することができるラッチ結束具５４２と、上記ラッチバンド部５４１の反対側にラッチ結束具に掛けて結束するようにラッチ溝を連続形成しているラッチ溝部５４３とで構成されるラッチバンド５４０とのどちらかを選択して構成することを特徴とする
請求項１に記載の配管用ダクトシステム。